(57)【要約】【課題】表面上に載置物を安定して載置することができる作業車用収納テーブルを提供する。【解決手段】それぞれ所定の方向に延びると共に矩形状の横断面を有し、隣り合う側面４同士が互いに対向すると共に上面が互いに同一面内に位置するように配列された複数の支持部２と、シート状に形成されて複数の支持部２の上面を覆うと共に裏面６が複数の支持部２の上面に接合され、複数の支持部２の間に対応する非接合位置Ｐにおいて表面５を内側に向けて変形可能に形成された平坦シート３とを備え、複数の支持部２は、所定の支持部２ａが作業車内に固定されることにより、隣り合う側面４同士を当接して互いの姿勢を固定する。【選択図】図１
2017024575.tif 000002
【特許請求の範囲】
【請求項１】
それぞれ所定の方向に延びると共に矩形状の横断面を有し、隣り合う側面同士が互いに対向すると共に上面が互いに同一面内に位置するように配列された複数の支持部と、
シート状に形成されて前記複数の支持部の上面を覆うと共に裏面が前記複数の支持部の上面に接合され、前記複数の支持部の間に対応する非接合位置において表面を内側に向けて変形可能に形成された平坦シートと
を備え、
前記複数の支持部は、所定の支持部が作業車内に固定されることにより、前記隣り合う側面同士を当接して互いの姿勢を固定する作業車用収納テーブル。
【請求項２】
前記平坦シートは、前記非接合位置において屈折するように変形され、前記非接合位置を順次屈折させてロール状に折り畳まれる請求項１に記載の作業車用収納テーブル。
【請求項３】
前記所定の支持部を作業車内に着脱可能に固定する支持固定部をさらに有する請求項１または２に記載の作業車用収納テーブル。
【請求項４】
前記所定の支持部を作業車内に一体に固定する支持固定部をさらに有する請求項１または２に記載の作業車用収納テーブル。
【請求項５】
前記平坦シートを作業車の窓ガラスに着脱可能に固定するガラス固定部をさらに有し、前記ガラス固定部で固定された前記平坦シートにより前記窓ガラスから作業車内に入る光が遮られる請求項１〜４のいずれか一項に記載の作業車用収納テーブル。
【請求項６】
前記複数の支持部は、前記隣り合う側面同士が当接する際に互いに嵌合する嵌合部を有する請求項１〜５のいずれか一項に記載の作業車用収納テーブル。
【発明の詳細な説明】
【技術分野】
【０００１】
この発明は、作業車用収納テーブルに係り、特に、変形可能に形成された作業車用収納テーブルに関する。
【背景技術】
【０００２】
従来から、クレーン車などの作業車のキャブ内において操作者が食事などを行うための作業車用収納テーブルが利用されている。一般的に、作業車用収納テーブルは、折り畳まれるなどしてキャブ内に収納されており、使用時にはキャブ内の支持体に動かないように固定して使用される。作業車のキャブは、内部空間が狭く形成されているため、収納時に操作者の操作を妨げないように小さく変形することが求められている。
【０００３】
そこで、収納時に小さく変形可能な作業車用収納テーブルとして、例えば、特許文献１には、キャブ内に設置されたシートのアームレスト下方にテーブルを退避させて収納できるように構成した建設機械のキャブ内収納式テーブル装置が提案されている。この建設機械のキャブ内収納式テーブル装置は、複数の矩形状のプレート同士を折り畳み可能に連結してテーブルが構成されているため、アームレスト下方の空きスペースに収まるように小さく変形させることができる。
【先行技術文献】
【特許文献】
【０００４】
【特許文献１】特開２０１０−１５５５３６号公報
【発明の概要】
【発明が解決しようとする課題】
【０００５】
しかしながら、特許文献１の建設機械のキャブ内収納式テーブル装置は、複数のプレートと、これらを連結する連結部分とがテーブル表面に露出し、テーブル表面に凹凸および隙間などが生じており、飲み物などの載置物を安定して載置することができなかった。テーブルの周囲には電子機器などの様々な装置が配置されており、これらの装置にテーブル上に載置された載置物を落下させるおそれがあった。
【０００６】
この発明は、このような従来の問題点を解消するためになされたもので、表面上に載置物を安定して載置することができる作業車用収納テーブルを提供することを目的とする。
【課題を解決するための手段】
【０００７】
この発明に係る作業車用収納テーブルは、それぞれ所定の方向に延びると共に矩形状の横断面を有し、隣り合う側面同士が互いに対向すると共に上面が互いに同一面内に位置するように配列された複数の支持部と、シート状に形成されて複数の支持部の上面を覆うと共に裏面が複数の支持部の上面に接合され、複数の支持部の間に対応する非接合位置において表面を内側に向けて変形可能に形成された平坦シートとを備え、複数の支持部は、所定の支持部が作業車内に固定されることにより、隣り合う側面同士を当接して互いの姿勢を固定するものである。
【０００８】
また、平坦シートは、非接合位置において屈折するように変形され、非接合位置を順次屈折させてロール状に折り畳むことができる。
【０００９】
所定の支持部を作業車内に着脱可能に固定する支持固定部をさらに有することができる。
また、所定の支持部を作業車内に一体に固定する支持固定部をさらに有することもできる。
【００１０】
平坦シートを作業車の窓ガラスに着脱可能に固定するガラス固定部をさらに有し、ガラス固定部で固定された平坦シートにより窓ガラスから作業車内に入る光を遮ることができる。
【００１１】
複数の支持部は、隣り合う側面同士が当接する際に互いに嵌合する嵌合部を有することが好ましい。
【発明の効果】
【００１２】
この発明によれば、一対の側面が互いに対向すると共に上面が互いに同一面内に位置するように配列された複数の支持部においてその上面を覆うように平坦シートが配置されているので、表面上に載置物を安定して載置することができる作業車用収納テーブルを提供することが可能となる。
【図面の簡単な説明】
【００１３】
【図１】この発明の実施の形態１に係る作業車用収納テーブルの構成を示す斜視図である。
【図２】複数の支持部の構成を示す側面図である。
【図３】支持固定部を作業車のハンドルに固定した様子を示す側面図である。
【図４】複数の支持部により水平に支持された平坦シートを示す図である。
【図５】この発明の実施の形態２に係る作業車用収納テーブルの構成を示す図である。
【図６】この発明の実施の形態３に係る作業車用収納テーブルの構成を示す図である。
【図７】この発明の実施の形態４に係る作業車用収納テーブルの構成を示す図である。
【発明を実施するための形態】
【００１４】
以下、この発明の実施の形態を添付図面に基づいて説明する。
実施の形態１
図１に、この発明の実施の形態１に係る作業車用収納テーブル１の構成を示す。この作業車用収納テーブル１は、小さく変形して作業車内に収納されるもので、一列に配置された複数の支持部２と、シート状に形成されて複数の支持部２の上面全体を覆うように配置された平坦シート３とを有する。なお、作業車としては、例えば、クレーン車などの建設作業車が挙げられる。
【００１５】
複数の支持部２は、それぞれ所定の方向に延びると共に矩形状の横断面を有するように形成され、平坦シートに沿って互いに平行に配列されている。このため、複数の支持部２は、一対の側面４が互いに対向すると共に上面が互いに同一面内に位置するように配列されている。
なお、複数の支持部２は、例えば樹脂材料から構成することができる。
【００１６】
平坦シート３は、複数の支持部２の上面全体にわたって連続して広がるように形成されており、表面５が平坦に維持されると共に裏面６が複数の支持部２の上面に接合されている。平坦シート３は、柔軟性を有する材料から構成されており、複数の支持部２の間に対応する非接合位置Ｐにおいて表面５を内側に向けて屈折するように変形可能に形成されている。この非接合位置Ｐで平坦シート３を順次屈折させることで、作業車用収納テーブル１がロール状に折り畳まれた収納形態とされる。
なお、平坦シート３は、例えば、ポリアミド樹脂などの柔軟性を有する樹脂材料から構成することができる。
【００１７】
図２に、複数の支持部２の構成を詳細に示す。
複数の支持部２は、互いに小さな隙間Ｇを空けて近接配置されている。複数の支持部２の配列方向において一方の端部に配置された支持部２ａには、作業車のキャブ内に設置されたハンドルに着脱可能に固定するための支持固定部７が設けられている。この支持固定部７は、ハンドルの形状に応じた凹部からなり、この凹部にハンドルを差し込むことで支持固定部７がハンドルに圧着される。また、支持部２ａ以外の支持部２は、中央部を貫通して延びる貫通孔８が形成されている。
【００１８】
図３に示すように、支持固定部７を作業車のハンドルＳに圧着して支持部２ａを固定すると、複数の支持部２は自重により対向する側面４同士を下部側から互いに当接するように傾斜される。すなわち、複数の支持部２は、支持部２ａがハンドルＳに固定された際に自重により対向する側面４同士が互いに当接するような隙間Ｇで近接して配列されている。このようにして、一対の側面４が当接されることにより複数の支持部２の姿勢が互いに固定されて、平坦シート３が下側から支持される。
【００１９】
次に、この実施の形態１の動作について説明する。
まず、図１に示すように、作業車用収納テーブル１は、平坦シート３の表面５を内側に向けて非接合位置Ｐで順次屈折させることでロール状の収納形態とされ、作業車のキャブ内の空きスペースに収納されている。例えば、クレーン車のキャブ内に設置された運転席後部に、収納形態とされた作業車用収納テーブル１を収納することができる。作業車用収納テーブル１は、ロール状に小さく変形して収納することができるため、操作者がクレーン車の操作を行う際に操作の妨げとなることがなく、操作者は円滑にクレーン車の操作を行うことができる。
【００２０】
続いて、操作者が休憩などのためにクレーン車の操作を休止し、キャブ内に収納された作業車用収納テーブル１を広げて使用形態とする。図２に示すように、複数の支持部２のうち一方の端部に配置された支持部２ａには支持固定部７が設けられている。この支持固定部７をハンドルＳに圧着することにより、支持部２ａが回転などにより位置ずれしないようにハンドルＳに強固に固定することができる。支持部２ａがハンドルＳに固定されると、図３に示すように、複数の支持部２が自重により平坦シート３を僅かに撓めつつ傾斜して一対の側面４を当接させる。そして、一対の側面４が当接することにより複数の支持部２の姿勢が互いに固定され、平坦シート３が下側から支持される。
【００２１】
これにより、平坦シート３は、図４に示すように、ハンドルＳの上部にほぼ水平に保たれた状態で支持され、その表面５上に飲み物などの載置物Ｎを安定して載置することができる。ここで、平坦シート３は、分割されることなく、複数の支持部２の上面を全て覆うように設けられているため、その表面５に凹凸および隙間などが生じておらず、表面５が平坦に形成されている。このため、平坦シート３の表面５上に載置物Ｎを安定して載置することができ、周囲の操作機器に載置物Ｎが落下するのを抑制することができる。
【００２２】
また、作業車用収納テーブル１は、ハンドルＳの上側に設置されるため、ハンドルＳと運転席Ｔとの間の空間に大きく侵入することはなく、操作者が動く空間を大きく確保することができる。ここで、平坦シート３は、水平方向においてハンドルＳの範囲内に収まるような大きさで形成することが好ましく、これにより操作者が動く空間を確実に確保することができる。
【００２３】
また、複数の支持部２には中央部に貫通孔８が形成されており、これにより一対の側面４の剛性を保ちつつ軽量化することができる。このため、支持固定部７により支持部２ａをハンドルＳに確実に固定することができ、平坦シート３を長時間にわたって水平に保つことができる。
また、複数の支持部２は、互いに平行に配置された一対の側面４を有するため、一対の側面４を広い範囲で当接させることができ、互いの姿勢を確実に固定することができる。
さらに、支持固定部７をハンドルＳに固定するだけで複数の支持部２により平坦シート３が水平に支持されるため、複雑な取り付け操作を必要とせず、作業車用収納テーブル１を容易に設置することができる。
【００２４】
このようにして、平坦シート３が複数の支持部２によりほぼ水平に支持されるため、操作者は平坦シート３の表面５上に安定して載置物Ｎを置いて快適に休憩をとることができる。
操作者は、休憩が終わると、支持固定部７をハンドルＳから取り外し、再び平坦シート３を非接合位置Ｐで順次屈折させてロール状の収納形態とする。この時、複数の支持部２は、互いに小さな隙間Ｇを空けて配置されているため、複数の支持部２を密接させて配置した場合と比較して非接合位置Ｐを広く確保することができ、平坦シート３を容易に屈折させることができる。そして、収納形態とされた作業車用収納テーブル１は、運転席Ｔと側壁部Ｗとの間の空きスペースに収納され、クレーン車の作業が再開される。
【００２５】
本実施の形態によれば、一対の側面４が互いに対向すると共に上面が互いに同一面内に位置するように配列された複数の支持部２に対して、これらの上面を覆うように平坦シート３が配置されているため、複数の支持部２で支持された平坦シート３の表面５を平坦に保つことができ、平坦シート３の表面５上に載置物Ｎを安定して載置することができる。
【００２６】
なお、上記の実施の形態１では、支持固定部７は、ハンドルＳに固定されたが、複数の支持部２をキャブ内に固定することができればよく、その固定箇所はハンドルＳに限られるものではない。
例えば、支持固定部は、キャブ内に設置された運転席の肘掛に支持部２ａを上下方向から挟んで固定するように構成してもよい。
【００２７】
実施の形態２
実施の形態２では、所定の支持部をキャブ内に一体に固定することもできる。
例えば、図５に示すように、実施の形態１の複数の支持部２に換えて幅広に形成された２つの支持部２１を配置し、この２つの支持部２１をキャブの側壁部Ｗに一体に固定することができる。２つの支持部２１は、一方の端部が支持固定部２２により側壁部Ｗに一体に固定されている。支持固定部２２は、側壁部Ｗに支持部２１の一方の端部を回動可能に固定するもので、例えばヒンジなどから構成することができる。
【００２８】
実施の形態１と同様に、２つの支持部２１には平坦シート３が接合されており、この平坦シート３を非接合位置Ｐにおいて表面５を内側に向けて屈折させることで２つの支持部２１を折り畳むことができる。２つの支持部２１を折り畳んで収納形態とすることにより、側壁部Ｗに設けられた凹部Ｗａ内に収納することができる。
【００２９】
作業車用収納テーブル１を使用する際には、支持固定部２２により２つの支持部２１を凹部Ｗａの外側へ回動させる。２つの支持部２１は、互いに平行に配置された一対の側面２３をそれぞれ有し、この一対の側面２３が当接することにより２つの支持部２１の姿勢が互いに固定される。また、２つの支持部２１の一方の端部に配置された側面２３が側壁部Ｗに当接することにより、２つの支持部２１が側壁部Ｗにほぼ水平に支持される。
これにより、平坦シート３は、２つの支持部２１によりほぼ水平に保たれた状態で下側から支持されるため、その表面５上に載置物Ｎを安定して載置することができる。
【００３０】
本実施の形態によれば、支持固定部２２により２つの支持部２１が側壁部Ｗに一体に固定されるため２つの支持部２１を確実に固定することができ、平坦シート３を水平に安定して保つことができる。
なお、作業車用収納テーブル１を使用する際に、２つの支持部２１は、操作者がクレーン車の操作を行う操作部、例えば操作レバーＬなどを上側から覆うように配置されることが好ましい。これにより、作業車用収納テーブル１の使用時において操作者が操作レバーＬに接触することが抑制されるため、誤操作などを未然に防ぐことができる。
【００３１】
実施の形態３
図６に、実施の形態３に係る作業車用収納テーブル３１の構成を示す。この作業車用収納テーブル３１は、実施の形態１の作業車用収納テーブル１において、平坦シート３をクレーン車の窓ガラスＤに着脱可能に固定するガラス固定部３２と、平坦シート３をロール状に小さく変形して収納するための収納部３３と、平坦シート３を収納部３３に接続する接続部３４とを有する。
【００３２】
ガラス固定部３２は、平坦シート３の表面５において一方の端部側と他方の端部側の２箇所に配置されている。ガラス固定部３２は、例えば、窓ガラスＤに吸着する吸盤などから構成することができる。
接続部３４は、変形自在な構成で、平坦シート３を収納部３３に案内するためのもので、例えば帯状の布などから構成されている。
収納部３３は、ダッシュボードＢの上部近傍に配置され、車幅方向に延びる円柱形状を有する。収納部３３は、回転可能に設けられており、接続部３４、平坦シート３および複数の支持部２を自らの周りに巻き付けるように回転して作業車用収納テーブル３１をロール状に収納する。
【００３３】
実施の形態１と同様に、支持固定部７をハンドルＳに圧着して複数の支持部２をハンドルＳに固定する。これにより、平坦シート３が、ほぼ水平に保たれた状態で複数の支持部２により支持され、その表面５上に載置物Ｎを安定して載置することができる。
続いて、例えばキャブ内において睡眠などをとりたい場合には、支持固定部７をハンドルＳから取り外して、平坦シート３を広げたままガラス固定部３２を窓ガラスＤに吸着させる。これにより、平坦シート３が窓ガラスＤに固定され、窓ガラスＤからキャブ内に入る光を平坦シート３で遮ることができる。
【００３４】
本実施の形態によれば、平坦シート３をクレーン車の窓ガラスＤに着脱可能に固定するガラス固定部３２を有するため、ガラス固定部３２で固定された平坦シート３で窓ガラスＤから入る光を遮ることができ、操作者はより快適にキャブ内において休憩をとることができる。
【００３５】
実施の形態４
実施の形態１〜３では、複数の支持部は、一対の側面を当接するだけで互いの姿勢が固定されたが、一対の側面が当接する際に嵌合する嵌合部を設けて互いの姿勢を強固に固定することもできる。
例えば、図７に示すように、実施の形態１の複数の支持部２に新たに嵌合部４１を配置することができる。この嵌合部４１は、互いに当接する側面４のうち、一方の側面４に形成された凹部４２と、この凹部４２に対応して他方の側面４に形成された凸部４３とを有する。複数の支持部２がハンドルＳに固定されることにより一対の側面４が互いに当接し、これと同時に嵌合部４１の凹部４２と凸部４３とが互いに嵌合される。
【００３６】
本実施の形態によれば、複数の支持部２に設けられた嵌合部４１が一対の側面４を当接させる際に互いに嵌合するため、複数の支持部２の姿勢を互いに強固に固定することができる。
【００３７】
上記実施例は、上述のものに限定されるものではない。また、この発明は、発明を逸脱しない範囲で設計変更することができる。
【符号の説明】
【００３８】
１，３１  作業車用収納テーブル、２，２ａ，２１  支持部、３  平坦シート、４，２３  支持部の側面、５  平坦シートの表面、６  平坦シートの裏面、７，２２  支持固定部、８  貫通孔、３２  ガラス固定部、３３  収納部、３４  接続部、４１  嵌合部、４２  凹部、４３  凸部、Ｐ  非接合位置、Ｇ  隙間、Ｓ  ハンドル、Ｔ  運転席、Ｗ  側壁部、Ｗａ  側壁部の凹部、Ｎ  載置物、Ｌ  操作レバー、Ｄ  窓ガラス、Ｂ  ダッシュボード。
【図１】
2017024575.tif 000003
【図２】
2017024575.tif 000004
【図３】
2017024575.tif 000005
【図４】
2017024575.tif 000006
【図５】
2017024575.tif 000007
【図６】
2017024575.tif 000008
【図７】
2017024575.tif 000009